(57)【要約】【課題】一の番組内において変更される内容の切り替え時刻が予め指定されていなくても、内容の変更に応じて音響処理を切り替えることができるオーディオ信号処理装置を提供すること。【解決手段】本発明の実施形態に係るＡＶシステムにおいて、ＡＶアンプは、一番組内におけるジャンルの変更順番が規定されている番組情報Ｐｇをテレビ装置から予め取得して記憶しておき、切替信号Ｓｗを取得したときには、番組情報Ｐｇを参照して、現在の順番のジャンルに対応する音場効果から、次の順番のジャンルに対応する音場効果に切り替えて、放音する音の音響処理を施すことができる。したがって、一番組内で内容が変更されることにより、適当な音響処理が変更されるときに、生放送の場合など、その変更時刻が予め決まっているものでなくても、音響処理を切り替えることができる。【選択図】図３
2010232902.tif 000002
【特許請求の範囲】
【請求項１】
受信した放送信号に基づいてオーディオ信号を生成する受信装置から、前記オーディオ信号を取得するオーディオ信号取得手段と、
一番組内において変更されていくジャンルの順番が規定されているジャンル情報が番組を示す情報に対応付けられた番組情報を取得する番組情報取得手段と、
前記番組情報取得手段によって取得された番組情報を記憶する記憶手段と、
ジャンルを変更する指示を示す切替信号を取得する切替信号取得手段と、
前記受信装置によって受信された放送信号に係る番組を特定するとともに、当該番組に対応するジャンル情報を前記記憶手段に記憶された番組情報から選択し、前記選択したジャンル情報を参照して、一の順番のジャンルを特定するとともに、当該ジャンルの次の順番に規定されるジャンルを次に特定するジャンルとして予約する特定手段であって、前記切替信号取得手段によって前記切替信号が取得されると、特定するジャンルを、現在特定しているジャンルから前記予約されているジャンルに切り替える特定手段と、
前記オーディオ信号取得手段によって取得されるオーディオ信号に対して、前記特定手段によって特定されるジャンルに応じた音響処理を施して出力する音響処理手段と
を具備することを特徴とするオーディオ信号処理装置。
【請求項２】
前記音響処理手段は、前記オーディオ信号取得手段によって取得されるオーディオ信号に対して各々並行して音響処理を施して出力する二の信号処理手段と、前記信号処理手段の各々から出力されるオーディオ信号のいずれか一方を選択して出力する出力手段とを有し、
前記二の信号処理手段の一方は、前記特定手段によって特定されるジャンルに応じた音響処理を施し、他方は、前記特定手段によって予約されているジャンルに応じた音響処理を施し、
前記出力手段は、前記特定手段によって特定されているジャンルに応じた音響処理を施す信号処理手段から出力されるオーディオ信号を選択して出力し、
前記特定手段によって特定されているジャンルが切り替わると、前記出力手段は、選択しているオーディオ信号を出力する信号処理手段とは別の信号処理手段から出力されるオーディオ信号を選択して出力するように切り替えることにより、前記特定手段によって特定されているジャンルに応じた音響処理を施す信号処理手段から出力されるオーディオ信号を出力する
ことを特徴とする請求項１に記載のオーディオ信号処理装置。
【請求項３】
前記受信装置が受信する放送信号は、さらに当該放送信号に係る番組に対応する前記ジャンル情報を有する番組情報を含み、
前記番組情報取得手段は、前記受信装置によって受信された放送信号に含まれる番組情報を取得し、
前記特定手段は、前記受信装置によって受信された放送信号に係る番組を当該番組情報から特定する
ことを特徴とする請求項１または請求項２に記載のオーディオ信号処理装置。
【請求項４】
前記受信装置が受信する放送信号は、さらに切替信号を含み、
前記切替信号取得手段は、前記受信装置によって受信された放送信号に含まれる切替信号を取得する
ことを特徴とする請求項１乃至請求項３のいずれかに記載のオーディオ信号処理装置。
【請求項５】
前記切替信号を外部装置から通信ネットワークを介して受信する切替信号受信手段をさらに具備し、
前記切替信号取得手段は、前記切替信号受信手段によって受信された切替信号を取得する
ことを特徴とする請求項１乃至請求項３のいずれかに記載のオーディオ信号処理装置。
【発明の詳細な説明】
【技術分野】
【０００１】
本発明は、音響処理の切り替えを違和感無く行う技術に関する。
【背景技術】
【０００２】
近年、テレビ装置などの表示装置にＡＶアンプなどを接続して外部スピーカから放音させることで、高音質で様々なコンテンツを楽しむことができるようになっている。このようなＡＶアンプにおいては、様々な音響処理により音場効果を与えることができる。視聴者は、視聴するコンテンツに応じて、好みの音場効果に設定を変更することができるが、音場効果を切り替えるときには、音響処理を行うＤＳＰ（Digital Signal Processor）における設定、切り替え時のノイズ防止のために音声がミュートされる。
【０００３】
音場効果を切り替えるときの一例として、チャンネルを切り替えるなどしてコンテンツが変更された場合がある。この場合には、ＡＶアンプ側において変更後のコンテンツがどのような音場効果が適しているかを認識する必要がある。そこで、例えば、テレビ装置において受信する放送電波を利用して電子番組表を取得するなどして、視聴するコンテンツがどのようなジャンルであるかを取得し、このジャンルをＡＶアンプに通知することにより、ＡＶアンプに認識させ、そのジャンルに応じた音場効果を付与する音響処理を行うようにさせる技術が提案されている（例えば、特許文献１）。
【先行技術文献】
【特許文献】
【０００４】
【特許文献１】特開２００８−３５３３９号公報
【発明の概要】
【発明が解決しようとする課題】
【０００５】
ところで、視聴するコンテンツの内容によっては、同一コンテンツ内であっても、シーンに応じて音響処理を切り替えた方がよい場合がある。例えば、ニュース番組などにおいては、通常のニュースだけでなく、スポーツの結果など、様々な話題についても放送されるため、話題に応じた音響処理を行うことが望ましい。このような場合、コンテンツを事実上複数のコンテンツとして扱い、それぞれのコンテンツの開始時刻を電子番組表で規定するという方法が考えられるが、生放送などにおいては、どのようなタイミングで話題が切り替わるかを事前に認識することは難しく、電子番組表などにより事前に規定しておくことはできない。
【０００６】
本発明は、上述の事情に鑑みてなされたものであり、一の番組内において変更される内容の切り替え時刻が予め指定されていなくても、内容の変更に応じて音響処理を切り替えることができるオーディオ信号処理装置を提供することを目的とする。
【課題を解決するための手段】
【０００７】
上述の課題を解決するため、本発明は、受信した放送信号に基づいてオーディオ信号を生成する受信装置から、前記オーディオ信号を取得するオーディオ信号取得手段と、一番組内において変更されていくジャンルの順番が規定されているジャンル情報が、番組を示す情報に対応付けられた番組情報を取得する番組情報取得手段と、前記番組情報取得手段によって取得された番組情報を記憶する記憶手段と、ジャンルを変更する指示を示す切替信号を取得する切替信号取得手段と、前記受信装置によって受信された放送信号に係る番組を特定するとともに、当該番組に対応するジャンル情報を前記記憶手段に記憶された番組情報から選択し、前記選択したジャンル情報を参照して、一の順番のジャンルを特定するとともに、当該ジャンルの次の順番に規定されるジャンルを次に特定するジャンルとして予約する特定手段であって、前記切替信号取得手段によって前記切替信号が取得されると、特定するジャンルを、現在特定しているジャンルから前記予約されているジャンルに切り替える特定手段と、前記オーディオ信号取得手段によって取得されるオーディオ信号に対して、前記特定手段によって特定されるジャンルに応じた音響処理を施して出力する音響処理手段とを具備することを特徴とするオーディオ信号処理装置を提供する。
【０００８】
また、別の好ましい態様において、前記音響処理手段は、前記オーディオ信号取得手段によって取得されるオーディオ信号に対して各々並行して音響処理を施して出力する二の信号処理手段と、前記信号処理手段の各々から出力されるオーディオ信号のいずれか一方を選択して出力する出力手段とを有し、前記二の信号処理手段の一方は、前記特定手段によって特定されるジャンルに応じた音響処理を施し、他方は、前記特定手段によって予約されているジャンルに応じた音響処理を施し、前記出力手段は、前記特定手段によって特定されているジャンルに応じた音響処理を施す信号処理手段から出力されるオーディオ信号を選択して出力し、前記特定手段によって特定されているジャンルが切り替わると、前記出力手段は、選択しているオーディオ信号を出力する信号処理手段とは別の信号処理手段から出力されるオーディオ信号を選択して出力するように切り替えることにより、前記特定手段によって特定されているジャンルに応じた音響処理を施す信号処理手段から出力されるオーディオ信号を出力することを特徴とする。
【０００９】
また、別の好ましい態様において、前記受信装置が受信する放送信号は、さらに当該放送信号に係る番組に対応する前記ジャンル情報を有する番組情報を含み、前記番組情報取得手段は、前記受信装置によって受信された放送信号に含まれる番組情報を取得し、前記特定手段は、前記受信装置によって受信された放送信号に係る番組を当該番組情報から特定することを特徴とする。
【００１０】
また、別の好ましい態様において、前記受信装置が受信する放送信号は、さらに切替信号を含み、前記切替信号取得手段は、前記受信装置によって受信された放送信号に含まれる切替信号を取得することを特徴とする。
【００１１】
また、別の好ましい態様において、前記切替信号を外部装置から通信ネットワークを介して受信する切替信号受信手段をさらに具備し、前記切替信号取得手段は、前記切替信号受信手段によって受信された切替信号を取得することを特徴とする。
【発明の効果】
【００１２】
本発明によれば、一の番組内において変更される内容の切り替え時刻が予め指定されていなくても、内容の変更に応じて音響処理を切り替えることができるオーディオ信号処理装置を提供することができる。
【図面の簡単な説明】
【００１３】
【図１】本発明の実施形態に係るＡＶシステムの構成を示すブロック図である。
【図２】本発明の実施形態に係る番組情報を説明する図である。
【図３】本発明の実施形態に係る特定部における音場設定の流れを示すフローチャートである。
【図４】本発明の実施形態に係る音場効果設定の説明図である。
【図５】変形例１に係る音声処理部の構成を示すブロック図である。
【図６】変形例１に係る特定部における音場設定の流れを示すフローチャートである。
【図７】変形例１に係る音場効果設定の説明図である。
【発明を実施するための形態】
【００１４】
以下、本発明の一実施形態について説明する。
【００１５】
＜実施形態＞
図１は、本発明の実施形態に係るＡＶシステム１の構成についてのブロック図である。図１に示すように、ＡＶシステム１は、テレビ装置１０、ＡＶアンプ２０を有している。テレビ装置１０とＡＶアンプ２０とは、例えば、ＨＤＭＩ（登録商標）ケーブルなどの通信ケーブルにより接続されている。以下、テレビ装置１０およびＡＶアンプ２０の構成について説明する。
【００１６】
テレビ装置１０は、チューナ１０１、映像処理部１０２、音声処理部１０３、通信部１０４、表示部１１０および放音部１２０を有する。
【００１７】
チューナ１０１は、映像信号およびオーディオ信号が含まれる放送信号を受信し、図示しないリモコンなどの操作により設定された放送チャンネルに対応する放送信号を再生することによって、映像信号Ｓｇｉｎ、オーディオ信号Ｓａｉｎを生成して出力する。この映像信号Ｓｇｉｎ、オーディオ信号Ｓａｉｎは、設定された放送チャンネルにおいて放送される番組の内容を示すものである。また、放送信号から電子番組表を示す番組情報Ｐｇを取得し記憶しておく。そして、通信部１０４からの要求に応じて番組情報Ｐｇを通信部１０４に出力する。なお、通信部１０４からの要求に応じて放送信号から番組情報Ｐｇを取得してもよい。
【００１８】
図２は、番組情報Ｐｇが示す電子番組表の一例を示す説明図である。この電子番組表は、図２に示すように、番組のジャンルを示すジャンル情報が、番組を示す情報（放送される時刻を示す時刻情報、放送チャンネル（ＣＨ１、ＣＨ２、ＣＨ３））と対応付けられたテーブルである。ここで、番組とは、図２における番組Ａ，Ｂ，Ｃ，・・・を示し、ジャンルとは、ＳＰＯＲＴＳ，ＭＵＳＩＣ，・・・を示す。また、一部の番組（番組Ｂ、番組Ｇ）に対応するジャンル情報は、複数のジャンルであり、各々順番が規定されている。この順番は、後述するように、一番組内において変更されていくジャンルの順番を示すものであり、例えば、番組Ｂに対応するジャンル情報は、1番が「ＮＥＷＳ」、2番が「ＳＰＯＲＴＳ」、３番が「ＭＵＳＩＣ」と規定されている。
【００１９】
図１に戻って説明を続ける。チューナ１０１は、さらに、放送信号から切替信号Ｓｗを取得して通信部１０４に出力する。切替信号Ｓｗは、同一番組内で内容が変わるなどしてジャンルを変更する指示として放送局から送信される信号である。また、チューナ１０１は、現在受信している番組を識別する情報を含む番組識別情報Ｐｊを通信部１０４に出力する。なお、番組を識別する情報とは、番組の名称であってもよいし、放送信号を受信するチャンネルと時刻との組み合わせであってもよい。また、ＡＶアンプ２０において現在時刻を認識できるものであれば、受信するチャンネルを示す情報だけでもよい。
【００２０】
また、番組識別情報Ｐｊは番組を識別する情報の他にも、その番組が、順番が規定された複数のジャンルに対応する番組である場合には、いずれかの順番を識別する情報も含まれるものとする。この順番は、その番組が開始された時刻から現在までに切替信号Ｓｗが放送信号により送信された回数をｎ回とすると、「ｎ＋１」として表されるものであり、例えば、番組識別情報Ｐｊにより識別される番組が番組Ｂであり、番組Ｂの開始時刻１１：００から現在まで切替信号Ｓｗが放送信号により１回送信されている場合には、順番は「２」として識別できる情報が番組情報Ｐｊに含まれるようになっている。なお、順番を識別する情報が含まれていないときは、ｎ＝０であるものとみなしてもよい。
【００２１】
映像処理部１０２は、チューナ１０１から出力された映像信号Ｓｇｉｎを取得し、映像信号Ｓｇｉｎに対して映像出画処理を施した表示用信号Ｓｇｏｕｔを出力する。表示部１１０は、液晶ディスプレイ、有機ＥＬディスプレイなどの表示画面を有する表示デバイスであって、映像処理部１０２から出力される表示用信号Ｓｇｏｕｔが入力され、表示用信号Ｓｇｏｕｔに応じた映像を、表示画面に表示する。
【００２２】
音声処理部１０３は、例えばＤＳＰなどであって、チューナ１０１から出力されたオーディオ信号Ｓａｉｎを取得し、オーディオ信号Ｓａｉｎに対してデコード処理、音響処理、遅延処理を施したオーディオ信号Ｓａｋを出力する。
【００２３】
また、音声処理部１０３は、後述する通信部１０４からの要求に応じて、チューナ１０１から取得したオーディオ信号Ｓａｉｎを通信部１０４に対してそのまま出力する。このとき、放音部１２０へのオーディオ信号Ｓａｋの出力は停止してもよい。なお、通信部１０４からの要求がチューナ１０１に行われるようにして、チューナ１０１から直接、オーディオ信号Ｓａｉｎが通信部１０４に出力されるようにしてもよい。
【００２４】
放音部１２０は、Ｄ／Ａ変換器、増幅器、スピーカを有する。放音部１２０は、音声処理部１０３からオーディオ信号Ｓａｋが入力され、デジタルアナログ変換、増幅処理を行い、スピーカから放音させる。なお、テレビ装置１０においては、チューナ１０１から出力された映像信号Ｓｇｉｎに係る表示と、オーディオ信号Ｓａｉｎに係る放音とのずれが起こらないように、映像処理部１０２、音声処理部１０３における表示用信号Ｓｇｏｕｔ、オーディオ信号Ｓａｋの出力が制御されているものとする。
【００２５】
通信部１０４は、ＨＤＭＩケーブルなどを接続する接続端子を有し、ＡＶアンプ２０と接続して通信を行い、各種信号をやり取りする。この例においては、通信部１０４は、ＡＶアンプ２０からの要求に応じて、チューナ１０１に対して番組情報Ｐｇ、番組識別情報Ｐｊの出力を要求し、チューナ１０１から出力される番組情報Ｐｇ、番組識別情報ＰｊをＡＶアンプ２０に送信する。なお、番組識別情報Ｐｊについては、図示しないリモコンなどの操作手段により、受信する放送信号のチャンネルが切り替わったときなどは、ＡＶアンプ２０からの要求によらず出力するようにしてもよい。
【００２６】
また、通信部１０４は、音声処理部１０３またはチューナ１０１から出力されるオーディオ信号Ｓａｉｎ、チューナ１０１から出力される切替信号ＳｗをＡＶアンプ２０に送信する。以上が、テレビ装置１０の構成についての説明である。
【００２７】
ＡＶアンプ２０は、オーディオ信号処理部２１、通信部２２および放音部２３を有する。通信部２２は、ＨＤＭＩケーブルなどを接続する接続端子を有し、テレビ装置１０と接続して通信を行い、各種信号をやり取りする。この例においては、通信部２２は、テレビ装置１０に対して、番組情報Ｐｇ、番組識別情報Ｐｊの送信の要求、オーディオ信号Ｓａｉｎ、切替信号Ｓｗの送信開始の要求を行う。これにより、テレビ装置１０から番組情報Ｐｇ、番組識別情報Ｐｊ、オーディオ信号Ｓａｉｎ、切替信号Ｓｗを受信すると、それぞれオーディオ信号処理部２１に出力する。ここで、この例においては、番組情報Ｐｇの送信の要求については、所定時間経過毎に行われ、番組識別情報Ｐｊの送信の要求については、オーディオ信号Ｓａｉｎ、切替信号Ｓｗの送信開始の要求時に行うものとする。
【００２８】
放音部２３は、Ｄ／Ａ変換器、増幅器、複数のスピーカを有し、それぞれのスピーカを所定の位置に設置して放音させることで５．１ｃｈ、７．１ｃｈまたはそれ以上のチャンネルのオーディオ信号を再生可能な環境を構成している。放音部２３は、オーディオ信号処理部２１から各スピーカに対応したオーディオ信号Ｓａｏｕｔが入力され、デジタルアナログ変換、増幅処理を行い、各スピーカから放音させる。これにより、放音部２３のスピーカからは、利用者に対して様々な音場効果を与えることができる。なお、サブウーファと複数のスピーカでスピーカアレイユニットを構成することで、複数のビーム化された音が放出され、スピーカアレイユニットが設置された部屋の壁面反射を利用して利用者に到達させるようにしてもよい。
【００２９】
オーディオ信号処理部２１は、例えばＤＳＰなどであって、通信部２２から入力されるオーディオ信号Ｓａｉｎに所定の音響処理を施して、オーディオ信号Ｓａｏｕｔとして出力する。以下、オーディオ信号処理部２１の構成について説明する。オーディオ信号処理部２１は、番組情報取得部２１０、記憶部２１１、切替信号取得部２１２、特定部２１３および音響処理部２１４を有する。
【００３０】
番組情報取得部２１０は、通信部２２から番組情報Ｐｇを取得し、記憶部２１１に記憶し、また、すでに番組情報Ｐｇが記憶されている場合には、その番組情報Ｐｇを取得した番組情報Ｐｇに更新する。記憶部２１１は、番組情報取得部２１０が取得した最新の番組情報Ｐｇを記憶する。切替信号取得部２１２は、通信部２２から切替信号Ｓｗを取得し、特定部２１３に切替信号Ｓｗを取得した旨の通知をする。
【００３１】
特定部２１３は、通信部２２から取得する番組識別情報Ｐｊ、切替信号取得部２１２からの通知、および記憶部２１１に記憶されている番組情報Ｐｇに応じて、後述する音響処理部２１４に音場効果を設定する。具体的には、特定部２１３は、番組情報Ｐｇを参照して、番組識別情報Ｐｊが示す番組に対応するジャンル情報を選択し、その中から一の順番のジャンルを特定する。そして、切替信号Ｓｗに係る通知を取得すると、特定している順番のジャンルから次の順番のジャンルに特定するジャンルを切り替える。また、特定部２１３には、ジャンルと音場効果とを対応付けた対応テーブルが記憶されている。以下、特定部２１３における処理を図３を用いて説明する。
【００３２】
図３は、特定部２１３における音場効果の設定の流れを説明するフローチャートである。まず、特定部２１３は、通信部２２が番組識別情報Ｐｊを受信することにより、番組識別情報Ｐｊを取得できたか否かを判定（ステップＳＡ１００）し、取得できるまでこの判定を続ける（ステップＳＡ１００；Ｎｏ）。特定部２１３は、番組識別情報Ｐｊを取得（ステップＳＡ１００；Ｙｅｓ）すると、記憶部２１１に記憶されている番組情報Ｐｇを参照し、番組識別情報Ｐｊが示す番組、順番からジャンルを特定する（ステップＳＡ１１０）。例えば、番組識別情報Ｐｊが示す番組が「番組Ｂ」、順番が「２」である場合には、ジャンルは「ＳＰＯＲＴＳ」として特定される。なお、番組識別情報Ｐｊに順番を示す情報が含まれていない場合には、その番組は対応するジャンルが１つであるから、特定部２１３は、そのジャンルを特定する。
【００３３】
そして、特定部２１３は、特定したジャンルに対応する音場効果を対応テーブルから認識し、音響処理部２１４にその音場効果を設定する（ステップＳＡ１２０）。次に、特定部２１３は、記憶部２１１に記憶されている番組情報Ｐｇを参照して、現在特定した順番のジャンルの次の順番のジャンルがあるか否かを判定する（ステップＳＡ１３０）。次の順番のジャンル（以下、次ジャンルという）がない場合（ステップＳＡ１３０；Ｎｏ）には、音場効果の設定処理を終了する。
【００３４】
一方、次ジャンルがある場合（ステップＳＡ１３０；Ｙｅｓ）には、特定部２１３は、その次ジャンルを特定する予約（以下、特定予約という）をし、切替信号取得部２１２から切替信号を取得した旨の通知があるか否かを判定（ステップＳＡ１４０）し、通知があるまではこの判定を続ける（ステップＳＡ１４０；Ｎｏ）。
【００３５】
特定部２１３は、切替信号を取得した旨の通知を取得（ステップＳＡ１４０；Ｙｅｓ）すると、現在のジャンルから特定予約していた次ジャンルに切り替えて特定（ステップＳＡ１５０）し、特定した次ジャンルに対応する音場効果を対応テーブルから認識し、音響処理部２１４にその音場効果を変更する設定を行う（ステップＳＡ１６０）。そして、再びステップＳＡ１３０に戻る。以上が、特定部２１３の説明である。
【００３６】
図１に戻って説明を続ける。音響処理部２１４は、通信部２２からオーディオ信号Ｓａｉｎを取得し、特定部２１３により特定されたジャンルに対応する音場効果が設定され、設定された音場効果に応じた音響処理を、取得したオーディオ信号Ｓａｉｎに対して施して、オーディオ信号Ｓａｏｕｔとして出力する。なお、この音響処理部２１４においては、テレビ装置１０におけるチューナ１０１から出力された映像信号Ｓｇｉｎに係る表示と、放音部２３におけるオーディオ信号Ｓａｏｕｔの放音とのずれが起こらないように、オーディオ信号Ｓａｏｕｔの出力が制御されているものとする。これは、チューナ１０１から映像信号Ｓｇｉｎが出力されてから、表示部１１０に表示されるまでの映像出画処理時間が、通信部１０４、２２を介して、または図示しない操作部の操作により、音響処理部２１４に予め設定されるようにしておけばよい。
【００３７】
また、音響処理部２１４は、設定部２１３により設定される音場効果が変更されると、少なくとも音場効果の設定変更の処理に要する期間は、ノイズの出力を防止するために、オーディオ信号Ｓａｏｕｔの出力がミュートされるようになっている。以上が、ＡＶアンプ２０についての説明である。次に、ＡＶシステム１の動作、特にＡＶアンプ２０の音場効果設定動作の具体的な一例について図４を用いて説明する。
【００３８】
図４は、ＡＶアンプ２０における音場効果設定の説明図である。図４は、上段が放送内容すなわち番組の内容を示し、下段がＡＶアンプ２０からの放音について、音響処理部２１４における音響処理の内容を示したものである。まず、音響処理部２１４には、図３におけるステップＳＡ１２０の音場効果設定において、番組Ｂ、順番１のジャンル「ＮＥＷＳ」に対応する音場効果が設定されたものとする。このとき、次ジャンルは順番２のジャンル「ＳＰＯＲＴＳ」が特定予約されている。
【００３９】
番組Ｂの放送内容がニュースからスポーツに切り替わるときに、放送局から切替信号Ｓｗが送信され、その切り替えのときには、一定のミュート時間Ｔｍは音声がミュートされる。一方、ＡＶアンプ２０においては、切替信号Ｓｗを取得すると、特定部２１３において、特定予約されていた次ジャンル「ＳＰＯＲＴＳ」の特定が行われ、音場効果の設定が変更される。これにより、音響処理部２１４における音響処理の設定変更（図４における「設定処理」に対応）が行われる。そして、特定部２１３によって、さらに次の順番３のジャンル「ＭＵＳＩＣ」が特定予約される。上述したように、設定処理中は、オーディオ信号Ｓａｏｕｔの出力がミュートされる。
【００４０】
したがって、この設定処理に要する処理時間がミュート時間Ｔｍ以下となることが望ましい。すなわち、ミュート時間Ｔｍと設定処理に要する処理時間の差分（図４における差分時間Ｔｃ）が「０」以上となることが望ましい。なお、図４においては、ミュート時間Ｔｍの経過後、オーディオ信号Ｓａｏｕｔの出力のミュートを解除して、ジャンル「ＳＰＯＲＴＳ」に対応する音場効果を付与する場合を記載しているが、設定処理が終了後直ちにミュートを解除してもよい。
【００４１】
このように、本発明の実施形態に係るＡＶシステム１において、ＡＶアンプ２０は、一番組内におけるジャンルの変更順番が規定されている番組情報Ｐｇをテレビ装置１０から予め取得して記憶しておき、切替信号Ｓｗを取得したときには、番組情報Ｐｇを参照して、現在の順番のジャンルに対応する音場効果から、次の順番のジャンルに対応する音場効果に切り替えて、放音する音の音響処理を施すことができる。したがって、一番組内で内容が変更されることにより、適当な音響処理が変更されるときに、生放送の場合など、その変更時刻が予め決まっているものでなくても、音響処理を切り替えることができる。また、番組情報Ｐｇによって変更する順番として規定していることにより、次に予定のジャンルを事前に特定することができるとともに、その変更指示は変更のタイミングが指定される単純な信号だけでもよいから、切替信号Ｓｗのやり取りを短時間で行うことができる。
【００４２】
以上、本発明の実施形態について説明したが、本発明は以下のように、さまざまな態様で実施可能である。
【００４３】
＜変形例１＞
上述した実施形態において、音響処理部２１４の構成を図５に示すように、並列処理としてもよい。
【００４４】
図５は、変形例１に係る音響処理部２１４Ａの構成を説明するブロック図である。音響処理部２１４Ａは、信号処理部Ａ２１４１、信号処理部Ｂ２１４２および切替部２１４３を有する。信号処理部Ａ２１４１は、通信部２２からオーディオ信号Ｓａｉｎを取得し、特定部２１３Ａによって設定された音場効果に応じた音響処理を、取得したオーディオ信号Ｓａｉｎに対して施して、オーディオ信号ＳＡとして出力する。一方、音声処理部Ａ２１４１と並行して音響処理を行う信号処理部Ｂ２１４２についても、通信部２２からオーディオ信号Ｓａｉｎを取得し、特定部２１３Ａによって設定された音場効果に応じた音響処理を、取得したオーディオ信号Ｓａｉｎに対して施して、オーディオ信号ＳＢとして出力する。
【００４５】
切替部２１４３は、オーディオ信号ＳＡ、ＳＢが入力され、いずれか一方をオーディオ信号Ｓａｏｕｔとして出力する。いずれのオーディオ信号ＳＡ、ＳＢをオーディオ信号Ｓａｏｕｔとして出力するかについては、特定部２１３Ａによって設定される。特定部２１３Ａ、音響処理部２１４Ａ以外の構成については、実施形態における構成と同様であるから、その説明を省略する。以下、特定部２１３Ａにおける音響処理部２１４Ａに対する設定について説明する。
【００４６】
図６は、特定部２１３Ａにおける音響処理部２１４Ａに対する設定の流れを説明するフローチャートである。最初に、切替部２１４３は、信号処理部Ａ２１４１によって出力されたオーディオ信号ＳＡをオーディオ信号Ｓａｏｕｔとして出力するように、特定部２１３Ａによって設定されているものとする。
【００４７】
特定部２１３Ａは、通信部２２が番組識別情報Ｐｊを受信することにより、番組識別情報Ｐｊを取得できたか否かを判定（ステップＳＢ１００）し、取得できるまでこの判定を続ける（ステップＳＢ１００；Ｎｏ）。特定部２１３Ａは、番組識別情報Ｐｊを取得（ステップＳＢ１００；Ｙｅｓ）すると、記憶部２１１に記憶されている番組情報Ｐｇを参照し、番組識別情報Ｐｊが示す番組、順番からジャンルを特定する（ステップＳＢ１１０）。そして、特定部２１３Ａは、特定したジャンルに対応する音場効果を対応テーブルから認識し、切替部２１４３によってオーディオ信号Ｓａｏｕｔとして出力されるオーディオ信号の出力元となる信号処理部（以下、信号処理部Ｘという）に対して、その音場効果を設定する（ステップＳＢ１２０）。この時点においては、信号処理部Ｘは、信号処理部Ａ２１４１であるから、信号処理部Ａ２１４１に対して音場効果を設定する。
【００４８】
次に、記憶部２１１に記憶されている番組情報Ｐｇを参照して、次ジャンルがあるか否かを判定する（ステップＳＢ１３０）。次ジャンルがない場合（ステップＳＢ１３０；Ｎｏ）には、音場効果の設定処理を終了する。一方、次ジャンルがある場合（ステップＳＢ１３０；Ｙｅｓ）には、特定部２１３Ａは、その次ジャンルを特定予約する。そして、特定部２１３Ａは、特定予約したジャンルに対応する音場効果を対応テーブルから認識し、信号処理部Ｘではないもう一方の信号処理部（以下、信号処理部Ｙという）に対して、その音場効果を設定する（ステップＳＢ１４０）。この時点においては、信号処理部Ｙは、信号処理部Ｂ２１４２であるから、信号処理部Ｂ２１４２に対して音場効果を設定する。
【００４９】
そして、特定部２１３Ａは、切替信号取得部２１２から切替信号を取得した旨の通知があるか否かを判定（ステップＳＢ１５０）し、通知があるまではこの判定を続ける（ステップＳＢ１５０；Ｎｏ）。特定部２１３Ａは、切替信号を取得した旨の通知を取得（ステップＳＢ１５０；Ｙｅｓ）すると、現在のジャンルから特定予約した次ジャンルに切り替えて特定（ステップＳＢ１６０）するとともに、切替部２１４３からオーディオ信号Ｓａｏｕｔとして出力されるオーディオ信号を別のオーディオ信号、すなわち、特定したジャンルに対応する音場処理に応じた音響処理が施されたオーディオ信号に切り替える（ステップＳＢ１７０）。この時点においては、オーディオ信号Ｓａｏｕｔとして出力するオーディオ信号を、オーディオ信号ＳＡからオーディオ信号ＳＢに切り替える。そして、再び、ステップＳＢ１３０に戻る。ここで、次にステップＳＢ１４０の処理を行うときには、切替部２１４３からオーディオ信号Ｓａｏｕｔとして出力されるオーディオ信号が切り替わっているから、信号処理部Ｙは、信号処理部Ｂ２１４２ではなく、信号処理部Ａ２１４１となっている。以上が、特定部２１３Ａにおける音響処理部２１４Ａに対する設定についての説明である。次に、音響処理部２１４Ａの動作の具体的な一例について図７を用いて説明する。
【００５０】
図７は、ＡＶアンプ２０における音場効果設定の説明図である。図７は、上段が放送内容すなわち番組の内容を示し、下段が音響処理部２１４Ａの各部（信号処理部Ａ２１４１、信号処理部Ｂ２１４２、切替部２１４３）の動作の内容を示したものである。まず、図６におけるステップＳＢ１５０までの処理により、信号処理部Ａ２１４１には番組Ｂ、順番１のジャンル「ＮＥＷＳ」に対応する音場効果が設定され、信号処理部Ｂ２１４２には番組Ｂ、順番２のジャンル「ＳＰＯＲＴＳ」に対応する音場効果が設定されているものとする。そして、切替部２１４３からオーディオ信号Ｓａｏｕｔとして出力されるオーディオ信号は、オーディオ信号ＳＡであるものとする。したがって、この時点においては、オーディオ信号Ｓａｏｕｔは、ジャンル「ＮＥＷＳ」に対応した音場効果に応じた音響処理が施されたものとなっている。
【００５１】
番組Ｂの放送内容がニュースからスポーツに切り替わるときに、放送局から切替信号Ｓｗが送信され、これを受信すると、特定部２１３Ａは、特定するジャンルを次ジャンルである「ＳＰＯＲＴＳ」に切り替える（ステップＳＢ１６０：図６参照）とともに、切替部２１４３からオーディオ信号Ｓａｏｕｔとして出力されるオーディオ信号を、オーディオ信号ＳＡからオーディオ信号ＳＢに切り替える（ステップＳＢ１７０：図６参照）。なお、この切り替え時には、クロスフェード処理を行ってもよい。
【００５２】
そして、特定部２１３Ａは、信号処理部Ａ２１４１に設定されている音場効果をジャンル「ＮＥＷＳ」に対応するものから、２番目のジャンルである「ＳＰＯＲＴＳ」の次ジャンルである「ＭＵＳＩＣ」に対応するものに切り替える（ステップＳＢ１４０：図６参照）。このとき、信号処理部Ａ２１４１は、実施形態における音響処理部２１４と同様に、音場効果の設定処理には、オーディオ信号ＳＡの出力をミュートすることになるが、その設定処理中は、信号処理部Ｂ２１４２から出力されるオーディオ信号ＳＢがオーディオ信号Ｓａｏｕｔとして出力されているから、放音される音に対しての影響はない。なお、上述のようにクロスフェード処理を行うときには、この処理が終了してから設定処理を行うようにすればよい。
【００５３】
番組Ｂの放送内容がスポーツから音楽に切り替わるときに、放送局から切替信号Ｓｗが送信され、これを受信すると、特定部２１３Ａは、特定するジャンルを次ジャンルである「ＭＵＳＩＣ」に切り替える（ステップＳＢ１６０：図６参照）とともに、切替部２１４３からオーディオ信号Ｓａｏｕｔとして出力されるオーディオ信号を、オーディオ信号ＳＢからオーディオ信号ＳＡに切り替える（ステップＳＢ１７０：図６参照）。そして、特定部２１３Ａは、次ジャンルがないと判定し、音場効果を設定する処理を終了する。なお、次ジャンルを番組Ｂに続く、次の番組のジャンルとして特定してもよい。その場合は、信号処理部Ｂ２１４２に設定されている音場効果をジャンル「ＳＰＯＲＴＳ」に対応するものから、次ジャンルに対応するものに切り替えればよい。
【００５４】
このように、変形例１の構成によれば、ジャンルを切り替えるときに、信号処理部は、出力するオーディオ信号が、オーディオ信号Ｓａｏｕｔとして出力されていない期間に、音場効果の設定を切り替えるから、放送内容にジャンル切り替え時のミュート期間が無くても、放音が途切れることがない。
【００５５】
＜変形例２＞
上述した実施形態においては、ＡＶアンプ２０における番組情報取得部２１０は、通信部２２を介して、放送信号に含まれる番組情報Ｐｇをテレビ装置１０から取得していたが、テレビ装置１０以外から取得するようにしてもよい。この場合には、例えば、ＡＶアンプ２０に番組情報Ｐｇを受信できるチューナを設けたり、インターネットなどの通信ネットワークを介して番組情報Ｐｇを提供するサーバに接続するネットワーク接続手段を設けたりすればよく、番組情報取得部２１０は、チューナ、ネットワーク接続手段により受信した番組情報Ｐｇを取得するようにすればよい。
【００５６】
＜変形例３＞
上述した実施形態においては、ＡＶアンプ２０は、番組情報Ｐｇの送信の要求を所定時間経過毎に行っていたが、オーディオ信号Ｓａｉｎ、切替信号Ｓｗの送信開始の要求時に行ってもよい。この場合は、現在受信中の番組に対応するジャンル情報だけを有する番組情報Ｐｇを取得するようにしてもよい。このようにすれば、特定部２１３により特定するジャンルを、この番組情報Ｐｇに係る一のジャンル情報から選択すればよいから、番組識別情報Ｐｊを取得しなくても特定部２１３において対象となる番組を特定することができる。また、放送局側から送信される放送信号には、そのときに送信中の番組に対応するジャンル情報だけを有する番組情報Ｐｇが含まれるようにすることによって、この番組情報Ｐｇを取得するようにしてもよい。なお、この例における番組情報Ｐｇは、送信中の番組に対応するジャンル情報だけを有するものに限らず、送信中の番組に対応するジャンル情報が特定できる態様になっていれば別のジャンル情報が含まれていてもよい。
【００５７】
＜変形例４＞
上述した実施形態においては、ＡＶアンプ２０における切替信号取得部２１２は、通信部２２を介して、放送信号に含まれる切替信号Ｓｗをテレビ装置１０から取得していたが、テレビ装置１０以外から取得するようにしてもよい。この場合には、例えば、ＡＶアンプ２０に切替信号Ｓｗを受信できるチューナを設けたり、インターネットなどの通信ネットワークに接続して切替信号Ｓｗを送信する、放送局などに設けられた外部装置と、通信ネットワークを介して有線または無線により接続するネットワーク接続手段を設けたりすればよく、切替信号取得部２１２は、チューナ、ネットワーク接続手段により受信した切替信号Ｓｗを取得するようにすればよい。
【００５８】
＜変形例５＞
上述した実施形態において、チューナ１０１がテレビ装置１０の外部のＳＴＢ（Set-top box）などに設けられる場合には、テレビ装置１０は、無線通信などによって映像信号Ｓｇｉｎおよびオーディオ信号Ｓａｉｎを取得する一方、ＡＶアンプ２０は、外部に設けられたチューナ１０１から直接オーディオ信号Ｓａｉｎを取得するようにしてもよい。この場合、番組情報Ｐｇ、切替信号Ｓｗは、外部に設けられたチューナ１０１から取得するようにしてもよい。
【００５９】
＜変形例６＞
上述した実施形態において、放音部２３がスピーカアレイユニットを構成し、複数のビーム化された音を放出するものである場合、チャンネル切り替え後のコンテンツに対応するジャンルに応じて、ビームの放出の態様、例えば、ビームの数、放出方向などを変化させるようにしてもよい。この場合は、特定部２１３は、ジャンルとビーム放出の態様とを対応付けたテーブルを記憶するようにし、特定したジャンルに対応するビーム放出の態様を音響処理部２１４に設定するようにすればよい。そして、音響処理部２１４は、取得したオーディオ信号Ｓａｉｎに対して、設定されたビーム放出の態様に応じて遅延処理などの信号処理を施し、スピーカアレイユニットの各スピーカに対応したオーディオ信号を生成して、それぞれに対して供給すればよい。
【符号の説明】
【００６０】
１…ＡＶシステム、１０…テレビ装置、１０１…チューナ、１０２…映像処理部、１０３…音声処理部、１０４…通信部、１１０…表示部、１２０…放音部、２０…ＡＶアンプ、２１…オーディオ信号処理部、２２…通信部、２３…放音部、２１０…番組情報取得部、２１１…記憶部、２１２…切替信号取得部、２１３，２１３Ａ…特定部、２１４，２１４Ａ…音響処理部、２１４１…信号処理部Ａ、２１４２…信号処理部Ｂ、２１４３…切替部
【図１】
2010232902.tif 000003
【図２】
2010232902.tif 000004
【図３】
2010232902.tif 000005
【図４】
2010232902.tif 000006
【図５】
2010232902.tif 000007
【図６】
2010232902.tif 000008
【図７】
2010232902.tif 000009